(57)【要約】【課題】ブログのコメント並びにトラックバックでのスパムに効果的に対処する技術を提供する。【解決手段】ユーザのパソコン（ＰＣ１やＰＣ２など）にブログサービスを提供するサーバシステムであるブログサーバ１０をクライアント側とし、このブログサーバ１０に対しスパムのフィルタリング機能を提供するサーバシステムであるルックアップサーバ２０をサーバ側として、これら二種のサーバ１０，２０を組み合わせる例で、ユーザのパソコンＰＣ１〜ＰＣ３に対してみれば、この組合せ全体としてサーバシステムを構成している。【選択図】図１
2007115173.tif 000002
【特許請求の範囲】
【請求項１】
情報の記憶部と、通信ネットワーク経由で外部と通信するための通信部と、前記各部の制御を含む情報処理を行う制御部と、を備えたサーバシステムであって、
前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ手段と、
受信した前記コメント又はトラックバックのデータについて、他の所定のサーバシステムへ転送するとともに、この転送に対し返信される、掲載を除外又は許可する情報を前記掲載に反映させるクライアント手段と、
を前記制御部が実現することを特徴とするサーバシステム。
【請求項２】
情報の記憶部と、通信ネットワーク経由で外部と通信するための通信部と、前記各部の制御を含む情報処理を行う制御部と、を備えたサーバシステムであって、
所定のブログサーバから前記通信部を経て、ブログの記事に対し投稿又は送信されるコメント及びトラックバックのデータの転送を受け付ける転送受付手段と、
転送された前記コメント又はトラックバックについて、予め定められたパターンを検出する検出手段と、
前記パターンを検出したか否かに基づいて、そのコメント又はトラックバックの掲載を除外又は許可する情報を前記ブログサーバへ返信する対処手段と、
を前記制御部が実現することを特徴とするサーバシステム。
【請求項３】
請求項１のサーバシステムをクライアント側、請求項２のサーバシステムをサーバ側として組み合わせることを特徴とするサーバシステム。
【請求項４】
情報の記憶部と、通信ネットワーク経由で外部と通信するための通信部と、前記各部の制御を含む情報処理を行う制御部と、を備えたサーバシステムであって、
前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ手段と、
データを受信した前記コメント又はトラックバックについて、予め定められたパターンを検出する検出手段と、
前記パターンを検出したコメント及びトラックバックについて前記掲載を除外する対処手段と、
を前記制御部が実現することを特徴とするサーバシステム。
【請求項５】
前記検出手段は、前記ブログに既に掲載された過去の前記コメント又はトラックバックについても、スキャン又は前記通信部経由のリモートスキャンにより前記パターンを検出し、
前記対処手段は、前記パターンを検出した過去の前記コメント又はトラックバックについて前記掲載からの除外のための処理を行うこと
を特徴とする請求項２から４のいずれか一項に記載のサーバシステム。
【請求項６】
掲載を除外する前記パターンとして、フィルタリング対象のＵＲＬ又はキーワードの少なくとも一方を、カテゴリごとに分類して前記記憶部に記憶したパターンデータと、
前記カテゴリを単位として前記検出の対象を、各ブログの運営者から前記制御部が設定受付する設定受付手段と、
の少なくとも一方を備えたことを特徴とする請求項２から５のいずれか一項に記載のサーバシステム。
【請求項７】
前記検出手段は、掲載を除外する前記パターンとして、複数バイト文字を含まない前記コメント及びトラックバックを検出することを特徴とする請求項２から６のいずれか一項に記載のサーバシステム。
【請求項８】
前記除外した前記コメント又はトラックバックを含めて前記記憶部に記録した過去ログデータと、
前記除外した前記コメント又はトラックバックについて、個別に、又は、前記カテゴリもしくは他の属性ごとに、掲載の許可を各ブログの運営者から前記制御部が受け付けるとともにブログに反映させる掲載許可手段と、
を備えることを特徴とする請求項２から７のいずれか一項に記載のサーバシステム。
【請求項９】
情報の記憶部と、通信ネットワーク経由で外部と通信するための通信部と、前記各部の制御を含む情報処理を行う制御部と、を備えたサーバシステムの制御方法であって、
前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ処理と、
受信した前記コメント又はトラックバックのデータについて、他の所定のサーバシステムへ転送するとともに、この転送に対し返信される、掲載を除外又は許可する情報を前記掲載に反映させるクライアント処理と、
を前記制御部が実行することを特徴とするサーバシステムの制御方法。
【請求項１０】
情報の記憶部と、通信ネットワーク経由で外部と通信するための通信部と、前記各部の制御を含む情報処理を行う制御部と、を備えたサーバシステムの制御方法であって、
所定のブログサーバから前記通信部を経て、ブログの記事に対し投稿又は送信されるコメント及びトラックバックのデータの転送を受け付ける転送受付処理と、
転送された前記コメント又はトラックバックについて、予め定められたパターンを検出する検出処理と、
前記パターンを検出したか否かに基づいて、そのコメント又はトラックバックの掲載を除外又は許可する情報を前記ブログサーバへ返信する対処処理と、
を前記制御部が実行することを特徴とするサーバシステムの制御方法。
【請求項１１】
請求項９のサーバシステムの制御方法をクライアント側、請求項１０のサーバシステムの制御方法をサーバ側として組み合わせることを特徴とするサーバシステムの制御方法。
【請求項１２】
情報の記憶部と、通信ネットワーク経由で外部と通信するための通信部と、前記各部の制御を含む情報処理を行う制御部と、を備えたサーバシステムの制御方法であって、
前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ処理と、
データを受信した前記コメント又はトラックバックについて、予め定められたパターンを検出する検出処理と、
前記パターンを検出したコメント及びトラックバックについて前記掲載を除外する対処処理と、
を前記制御部が実行することを特徴とするサーバシステムの制御方法。
【請求項１３】
前記検出処理は、前記ブログに既に掲載された過去の前記コメント又はトラックバックについても、スキャン又は前記通信部経由のリモートスキャンにより前記パターンを検出し、
前記対処処理は、前記パターンを検出した過去の前記コメント又はトラックバックについて前記掲載からの除外のための処理を行うこと
を特徴とする請求項１０から１２のいずれか一項に記載のサーバシステムの制御方法。
【請求項１４】
掲載を除外する前記パターンとして、フィルタリング対象のＵＲＬ又はキーワードの少なくとも一方を、カテゴリごとに分類して前記記憶部に記憶したパターンデータと、
前記カテゴリを単位として前記検出の対象を、各ブログの運営者から前記制御部が設定受付する設定受付処理と、
の少なくとも一方を用いることを特徴とする請求項１０から１３のいずれか一項に記載のサーバシステムの制御方法。
【請求項１５】
前記検出処理は、掲載を除外する前記パターンとして、複数バイト文字を含まない前記コメント及びトラックバックを検出することを特徴とする請求項１０から１４のいずれか一項に記載のサーバシステムの制御方法。
【請求項１６】
前記除外した前記コメント又はトラックバックを含めて前記記憶部に記録した過去ログデータと、
前記除外した前記コメント又はトラックバックについて、個別に、又は、前記カテゴリもしくは他の属性ごとに、掲載の許可を各ブログの運営者から前記制御部が受け付けるとともにブログに反映させる掲載許可処理と、
を用いることを特徴とする請求項１０から１５のいずれか一項に記載のサーバシステムの制御方法。
【請求項１７】
情報の記憶部と、通信ネットワーク経由で外部と通信するための通信部と、前記各部の制御を含む情報処理を行う制御部と、を備えたサーバシステムの制御プログラムであって、
前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ処理と、
受信した前記コメント又はトラックバックのデータについて、他の所定のサーバシステムへ転送するとともに、この転送に対し返信される、掲載を除外又は許可する情報を前記掲載に反映させるクライアント処理と、
を前記制御部に実行させることを特徴とするサーバシステムの制御プログラム。
【請求項１８】
情報の記憶部と、通信ネットワーク経由で外部と通信するための通信部と、前記各部の制御を含む情報処理を行う制御部と、を備えたサーバシステムの制御プログラムであって、
所定のブログサーバから前記通信部を経て、ブログの記事に対し投稿又は送信されるコメント及びトラックバックのデータの転送を受け付ける転送受付処理と、
転送された前記コメント又はトラックバックについて、予め定められたパターンを検出する検出処理と、
前記パターンを検出したか否かに基づいて、そのコメント又はトラックバックの掲載を除外又は許可する情報を前記ブログサーバへ返信する対処処理と、
を前記制御部に実行させることを特徴とするサーバシステムの制御プログラム。
【請求項１９】
前記検出処理は、前記ブログに既に掲載された過去の前記コメント又はトラックバックについても、スキャン又は前記通信部経由のリモートスキャンにより前記パターンを検出し、
前記対処処理は、前記パターンを検出した過去の前記コメント又はトラックバックについて前記掲載からの除外のための処理を行うこと
を特徴とする請求項１８に記載のサーバシステムの制御プログラム。
【請求項２０】
掲載を除外する前記パターンとして、フィルタリング対象のＵＲＬ又はキーワードの少なくとも一方を、カテゴリごとに分類して前記記憶部に記憶したパターンデータと、
前記カテゴリを単位として前記検出の対象を、各ブログの運営者から前記制御部が設定受付する設定受付処理と、
の少なくとも一方を用いることを特徴とする請求項１８又は１９に記載のサーバシステムの制御プログラム。
【発明の詳細な説明】
【技術分野】
【０００１】
本発明は、ブログのコメント並びにトラックバックでのスパムに効果的に対処する技術を提供するものである。
【背景技術】
【０００２】
近年、急速に普及したインターネットを通じて個人や企業などによる情報流通が急増しているが、当事者の一対一を基本とした情報流通手段として電子メールやインスタントメッセージなどがある。また、不特定多数との情報流通手段としては、いわゆるウェブサイトや電子掲示板（ＢＢＳ）が従来から普及してきた。電子掲示板では、掲示板の運営者や利用者の投稿する親記事をもとに、コメントと呼ばれる子記事の投稿を受け付け、親記事に従属して表示するツリー構造が普及している。
【０００３】
電子メールも、従来の電子掲示板も、そのアドレスに対し原則として、誰でも自由にメールや記事などの情報を送信できる点が利点であるが、これを逆手に取ったスパムの被害も深刻化しつつある。スパムは、電子メールや電子掲示板のマナーや利用者の利用目的に反した情報送信であり、通常、スパム送信者が閲覧者にアクセスさせたいアダルトサイトなどのＵＲＬや電子メールなどのアドレスをリンクなどとして伴っている。このような不適切なＵＲＬをうっかりクリックしたようなアクセスについては、ＵＲＬフィルタリングなどの技術（例えば特許文献１）による対処も考えられる。
【特許文献１】特開２００５−１０７８３１
【発明の開示】
【発明が解決しようとする課題】
【０００４】
しかし昨今、電子掲示板は、より進歩したブログ（ウェブログ）に主役の座を譲りつつある。ブログは、日記などを掲載するが、親記事に対して上記のコメントとは別に、トラックバックを設定できるもので、トラックバックは、その親記事へのリンクを張ったリンク元の情報を、親記事に関連付けて表示するものである。すなわち、親記事を見た他人が、その親記事に関連する他のウェブページを紹介したければ、従来の電子掲示板であっても、そのウェブページへのリンクを含むコメントをその親記事に対し投稿すればよく、これはいわば内から外へのリンクである。
【０００５】
一方、親記事を見た他人が、どこか他の例えば自分のウェブサイトなどから、その親記事へ向けてリンクを張ることは自由であるが、この方向のリンクは親記事の側から見ればいわば外から内であり、リンク先の親記事を見ただけでは、どこからリンクが張ってあるかは誰にもわからない。このような、どこからリンクが張ってあるかの情報を親記事に従属して表示し、有意義な双方向の関連付けを実現するのがトラックバックである。
【０００６】
トラックバックは、親記事へのリンクを張った者が、リンク元のＵＲＬをリンク先の親記事のサーバへ送信して通知し、この通知を「トラックバック・ピング」と呼ぶ。トラックバック・ピングを受けた親記事のサーバは、通知されたリンク元のＵＲＬを、親記事に従属し「この記事へのトラックバック」などとして表示する。多くのブログのシステムでは、トラックバック・ピングの通知先を、記事ごとに「この記事へのトラックバックＵＲＬ」などとして掲載している。
【０００７】
ところが、コメントだけでなく上記のようなトラックバックの機能も加わったブログは、スパム送信者たちにスパム送信の機会を２倍に増やし、より多くのスパムを呼び寄せる事態を招いた。すなわち、スパム送信者はブログに対してならば、アクセスさせたいアダルトサイトなどのＵＲＬを、コメントとして投稿し表示させることもできるし、トラックバックとして表示させることもでき、使い分けも併用も自在である。
【０００８】
このような事態は、ブログの設置者や利用者、サーバ運営者などにとってはたまったものではなく、目的外の不快な広告スパムにブログが埋め尽くされ、本来の情報流通が重大な阻害を受けるだけでなく、トラフィックや記憶容量などのサーバ負担が無駄に増大する問題もあった。
【０００９】
本発明は、上記のような従来技術の課題を解決するもので、その目的は、ブログのコメント並びにトラックバックでのスパムに効果的に対処する技術を提供することである。
【課題を解決するための手段】
【００１０】
上記の目的を本発明は以下のように達成する。なお、方法及びプログラムについては「手段」→「処理」のように適宜読み替えるものとする。まず、本発明の一態様は（請求項１，９，１７）、情報の記憶部と、通信ネットワーク経由で外部と通信するための通信部と、前記各部の制御を含む情報処理を行う制御部と、を備えたサーバシステム（その制御方法、制御プログラム）において、前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ手段と、受信した前記コメント又はトラックバックのデータについて、他の所定のサーバシステムへ転送するとともに、この転送に対し返信される、掲載を除外又は許可する情報を前記掲載に反映させるクライアント手段と、を前記制御部が実現することを特徴とする。
【００１１】
本発明の他の態様は（請求項２，１０，１８）、情報の記憶部と、通信ネットワーク経由で外部と通信するための通信部と、前記各部の制御を含む情報処理を行う制御部と、を備えたサーバシステム（その制御方法、制御プログラム）において、所定のブログサーバから前記通信部を経て、ブログの記事に対し投稿又は送信されるコメント及びトラックバックのデータの転送を受け付ける転送受付手段と、転送された前記コメント又はトラックバックについて、予め定められたパターンを検出する検出手段と、前記パターンを検出したか否かに基づいて、そのコメント又はトラックバックの掲載を除外又は許可する情報を前記ブログサーバへ返信する対処手段と、を前記制御部が実現することを特徴とする。
【００１２】
本発明の他の態様は（請求項３，１１）、請求項１（９，１７）のサーバシステム（その制御方法、制御プログラム）をクライアント側、請求項２（１０，１８）のサーバシステム（その制御方法、制御プログラム）をサーバ側として組み合わせることを特徴とするサーバシステム（その制御方法、制御プログラム）である。
【００１３】
このように、ブログのスパムをリアルタイムで判定し排除・無効化することにより、健全なブログ運営環境を実現可能となる。特に、法人や各種サービス事業者などの任意のブログサーバから、スパム検出を集中受託し掲載可否を返信する態様により、コストの合理化、障害対応等管理の容易化迅速化、フィルタリングＵＲＬなどの最新データベースの利用が実現できる。
【００１４】
本発明の他の態様は（請求項４，１２）、情報の記憶部と、通信ネットワーク経由で外部と通信するための通信部と、前記各部の制御を含む情報処理を行う制御部と、を備えたサーバシステム（その制御方法、制御プログラム）において、前記通信部を経て、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する、ブログ手段と、データを受信した前記コメント又はトラックバックについて、予め定められたパターンを検出する検出手段と、前記パターンを検出したコメント及びトラックバックについて前記掲載を除外する対処手段と、を前記制御部が実現することを特徴とする。
【００１５】
このように、ブログのスパムをリアルタイムで判定し除外・無効化することにより、健全なブログ運営環境を実現可能となる。特に、スパム検出や掲載除外の処理をブログサーバ内で完結させることにより、構成や処理の単純化、セキュリティの向上、通信量削減などが実現できる。
【００１６】
本発明の他の態様は（請求項５，１３，１９）、上記各態様のいずれかにおいて、前記検出手段は、前記ブログに既に掲載された過去の前記コメント又はトラックバックについても、スキャン又は前記通信部経由のリモートスキャンにより前記パターンを検出し、前記対処手段は、前記パターンを検出した過去の前記コメント又はトラックバックについて前記掲載からの除外のための処理を行うことを特徴とする。
【００１７】
このように、過去のコメントやトラックバックについても、スパムをスキャンし遡って削除することにより、フィルタリングするＵＲＬやキーワードのブラックリストなどスパムのパターンにおける更新を最大限効果的に活用可能となる。
【００１８】
本発明の他の態様は（請求項６，１４，２０）、上記各態様のいずれかにおいて、掲載を除外する前記パターンとして、フィルタリング対象のＵＲＬ又はキーワードの少なくとも一方を、カテゴリごとに分類して前記記憶部に記憶したパターンデータと、前記カテゴリを単位として前記検出の対象を、各ブログの運営者から前記制御部が設定受付する設定受付手段と、の少なくとも一方を備えたことを特徴とする。
【００１９】
このように、アダルトやグロテスクなど、排除するスパムの種類をカテゴリごとに指定可能とすることにより、運営者ごとの個別具体的な事情やポリシーなどに適したブログ運営を効果的に支援可能となる。
【００２０】
本発明の他の態様は（請求項７，１５）、上記各態様のいずれかにおいて、前記検出手段は、掲載を除外する前記パターンとして、複数バイト文字を含まない前記コメント及びトラックバックを検出することを特徴とする。
【００２１】
このように、日本語表示に必須の複数バイト文字を含まないコメントやトラックバックを検出し除外することにより、広く行われている英語による無差別スパムを効果的に排除可能となる。
【００２２】
本発明の他の態様は（請求項８，１６）、上記各態様のいずれかにおいて、前記除外した前記コメント又はトラックバックを含めて前記記憶部に記録した過去ログデータと、前記除外した前記コメント又はトラックバックについて、個別に、又は、前記カテゴリもしくは他の属性ごとに、掲載の許可を各ブログの運営者から前記制御部が受け付けるとともにブログに反映させる掲載許可手段と、を備えることを特徴とする。
【００２３】
このように、投稿時の掲載除外や、過去ログから削除したコメントやトラックバックについて、ブログの運営者が任意に掲載を許可可能とすることにより、運営者ごとの個別具体的な事情を反映させた柔軟なブログ管理が可能となる。
【発明の効果】
【００２４】
以上のように、本発明によれば、ブログのコメント並びにトラックバックでのスパムに効果的に対処する技術を提供することが可能となる。
【発明を実施するための最良の形態】
【００２５】
次に、本発明を実施するための最良の複数の実施形態について、図を参照して説明する。なお、背景技術や課題で説明した事項と共通の前提事項は省略する。
【００２６】
〔１．第１実施形態の構成〕
第１実施形態は、図１の構成図に示すように、ユーザのパソコン（ＰＣ１やＰＣ２など）にブログサービスを提供するサーバシステムであるブログサーバ１０をクライアント側とし、このブログサーバ１０に対しスパムのフィルタリング機能を提供するサーバシステムであるルックアップサーバ２０をサーバ側として、これら二種のサーバ１０，２０を組み合わせる例で、ユーザのパソコンＰＣ１〜ＰＣ３に対してみれば、この組合せ全体としてサーバシステムを構成している。
【００２７】
また、加入者判定サーバ３０は、スパムのフィルタリング機能をルックアップサーバ２０によりブログサーバ１０や他の任意のサーバにＡＳＰ（Application Service Provider）形式で提供する場合に、利用や契約の条件に応じ、対象となるブログサービス業者のブログサーバ１０や個別のブログ運営者などの利用者を認証（加入者判定処理）するものであり、ルックアップサーバ２０やブログサーバ１０と一体化してもよい。なお、各装置（１０，２０，３０，ＰＣ１，ＰＣ２，ＰＣ３）の間は、図示しないインターネットやＬＡＮにより接続される。
【００２８】
上記のようなＡＳＰ形式での対象顧客としては、自社サイト（社長ブログなど）や製品サイトにブログを活用している法人ユーザ、教育目的でブログを利用する教育機関、教育機関向けサービス事業者、ＩＳＰ（インターネット・サービス・プロバイダ）やポータルサイト運営企業などでブログサービスを提供しているサービス事業者などのほか、ページビューが多い人気ブログ運営者など、一切限定はない。
【００２９】
各サーバ１０，２０はそれぞれ、情報の記憶部（ハードディスクドライブなど）Ｍ（Ｍ１，Ｍ２）と、インターネットに代表される通信ネットワーク経由で外部と通信するためのネットワークボードなどの通信部Ａ（Ａ１，Ａ２）と、前記各部の制御を含む情報処理を行うＣＰＵなどの制御部Ｃ（Ｃ１，Ｃ２）と、を備えたサーバシステムで、各記憶部Ｍ、各制御部Ｃと、図示しない各制御プログラムにより、図１に示す各要素（ブログサーバ１０に示す符号１１，１２，６１，６２，８１，８２、並びにルックアップサーバ２０に示す符号２１，２２，２３，２６）を実現する。これら各要素は、以下のような機能作用を実現・実行する処理手段である。
【００３０】
〔２．第１実施形態の作用効果〕
〔２−１．基本的作用効果〕
すなわち、ブログサーバ１０では、ブログ管理部１１（ブログ手段）が、通信部Ａ１を経て利用者のパソコン（ＰＣ１やＰＣ２など）を相手として、ブログにおける、親記事と、記事に対するコメント及びトラックバックの各投稿又は送信のデータを受信する一方、閲覧要求に対しては、親記事と、該当するコメント並びにトラックバックを掲載したウェブページを返信する（ブログ処理）。但し、受信したコメントやトラックバックのデータについては、クライアント部１２（クライアント手段）が、ルックアップサーバ２０へ転送するとともに、この転送に対し返信される、掲載を除外又は許可する情報をブログでの掲載に反映させる（クライアント処理）。
【００３１】
具体的な実装態様は自由であるが、ブログサーバ１０上の要素のうち、ブログ管理部１１として例えばＭＴ（Movable Type）を用い、他の要素は、ＭＴ  ＳＤＫ（Software Development KIT）やＡＰＩ（Application Program Interface ）などによりＭＴのプラグインなどとして実現する態様が考えられる。
【００３２】
上記のようなブログサーバ１０のクライアント側としての作用に対応して、サーバ側となるルックアップサーバ２０では、転送受付部２１（転送受付手段）が、ブログサーバ１０から通信部Ａ１，Ａ２を経て、ブログの記事に対し投稿又は送信されるコメント及びトラックバックのデータの転送を受け付ける（転送受付処理）。このように転送された前記コメント又はトラックバックから検出部２２（検出手段）が、予め定められたパターンを検出し（検出処理）、このパターンを検出したか否かに基づいて、対処部２３（対処手段）が、そのコメント又はトラックバックの掲載を除外又は許可する情報をブログサーバ１０へ返信する（対処処理）。
【００３３】
なお、パターン検出の対象とするコメントやトラックバックは、親記事に対するものには限定されず、ブログシステムの仕様に応じて、コメントに対するコメントやトラックバック、トラックバックに対するコメントやトラックバックが可能な場合、それらも対象とすることはもちろん差し支えなく、本発明の範囲内である。
【００３４】
以上のように、ブログのスパムをリアルタイムで判定し排除・無効化することにより、健全なブログ運営環境を実現可能となる。特に、法人や各種サービス事業者などの任意のブログサーバ（例えば１０）から、ルックアップサーバ２０がスパム検出を集中受託し掲載可否を返信する態様により、コストの合理化、障害対応等管理の容易化迅速化、フィルタリングＵＲＬなどの最新データベースの利用が実現できる。
【００３５】
〔２−２．過去ログのスキャン〕
コメントやトラックバックに対する上記のようなパターンの検出や除外は、過去の分にさかのぼって行ってもよい。この場合、検出部２２は、ブログに既に掲載された過去の前記コメント又はトラックバックについても、通信部Ａ２経由のリモートスキャンにより前記パターンを検出し、対処部２３は、このパターンを検出した過去のコメント又はトラックバックについて前記掲載からの除外のための処理（ここでは掲載を除外する情報をブログサーバ１０へ送信すること）を行う。
【００３６】
このように、過去のコメントやトラックバックについても、スパムをスキャンし遡って削除する処理をしたりそのための構成を備えることについては、必須ではないが、これらにより、フィルタリングするＵＲＬやキーワードのブラックリストなどスパムのパターンにおける更新を最大限効果的に活用可能となる。
【００３７】
〔２−３．カテゴリ単位の指定〕
スパムのフィルタリングについてはカテゴリごとに対象とするか否か指定可能としてもよい。この場合、ルックアップサーバ２０は、掲載を除外するパターンとして、フィルタリング対象のＵＲＬ又はキーワードの少なくとも一方について、カテゴリごとに分類して記憶部Ｍ２に記憶したパターンデータ２６を持つ。なお、カテゴリは、例えば、不法、主張、アダルト、セキュリティ、出会い、金融、ギャンブル、ショッピング、グロテスク、成人嗜好、オカルト、ライフスタイル、広告など、自由に定めてよい。  
【００３８】
そして、ブログサーバ１０では、設定受付部６２（設定受付手段）が、上記のようなカテゴリを単位として検出の対象を、各ブログの運営者から設定受付する（設定受付処理）。この設定の内容は設定データ６１として記録され、クライアント部１２は、例えば、コメントやトラックバックのデータをルックアップサーバ２０に転送する際、その管理情報においてカテゴリごとに対象とするか否かのフラグを立てるなどして、検出動作に反映させる。
【００３９】
このように、アダルトやグロテスクなど、排除するスパムの種類をカテゴリごとに指定可能とすることは、必須ではないが、これにより、運営者ごとの個別具体的な事情やポリシーなどに適したブログ運営を効果的に支援可能となる。
【００４０】
〔２−４．英語スパムの排除〕
また、検出部２２は、掲載を除外するパターンとして、複数バイト文字を含まないコメントやトラックバックを検出するようにしてもよい。このように、日本語表示に必須の複数バイト文字を含まないコメントやトラックバックを検出し除外することは、必須ではないが、これにより、広く行われている英語による無差別スパムを効果的に排除可能となる。
【００４１】
〔２−５．掲載の許可〕
以上のように除外したコメントやトラックバックの掲載をブログ運営者が自由に許可できるようにしてもよい。この場合、ブログサーバ１０において、除外したコメントやトラックバックも記憶部Ｍ１に過去ログデータ８１として記録しておき、除外したコメント又はトラックバックについて、掲載許可部８２（掲載許可手段）が、個別に、又は、カテゴリもしくは他の属性（例えば、含まれるＵＲＬやドメイン、日付、投稿者など）ごとに、掲載の許可を各ブログの運営者から受け付けてブログに反映させる（掲載許可処理）。
【００４２】
このように、投稿時の掲載除外や、過去ログから削除したコメントやトラックバックについて、ブログの運営者が任意に掲載を許可可能とすることは、必須ではないが、これにより、運営者ごとの個別具体的な事情を反映させた柔軟なブログ管理が可能となる。
【００４３】
〔２−６．顧客にとっての価値〕
コメントなどの形でのスパムは「サイト荒し」という側面を持っており、特に不法、アダルト、出会いなど反社会的ないしブログの目的に沿わないサイトへのリンクを、以上のように本発明により自動的に削除できるのは大きなメリットとなる。特に、自社サイトや製品サイトにブログを活用している法人ユーザにとっては、イメージダウンは絶対回避すべきであり、必要不可欠なものである。
【００４４】
また、ポータルサイトへの集客やインターネット・サービス・プロバイダ会員の獲得のためにブログサービスを行っている事業者にとって、本発明によりコメントなどのスパムを削除する機能を導入することは、他社サービスとの大きな差別化をもたらす利点がある。
【００４５】
〔３．第２実施形態〕
上記の第１実施形態では（図１）、スパムのフィルタリング機能をブログサーバ１０とは別のルックアップサーバ２０で実現したが、図２に示すように、スパムのフィルタリング機能もブログサーバ（例えば１００）に持たせる態様も可能である。図２の第２実施形態において、第１実施形態（図１）と共通の要素には共通の符号をつけ、説明は省略する。
【００４６】
この第２実施形態では、ブログサーバ１００において、データを受信したコメント又はトラックバックについて、検出部２２０（検出手段）が、予め定められたパターンを検出し（検出処理）、このパターンを検出したコメント及びトラックバックについて、対処部２３０（対処手段）が、掲載を除外する（対処処理）。
【００４７】
このように、第２実施形態では、ブログのスパムをリアルタイムで判定し除外・無効化することにより、健全なブログ運営環境を実現可能となることに加え、特に、スパム検出や掲載除外の処理をブログサーバ内で完結させることにより、構成や処理の単純化、セキュリティの向上、通信量削減などが実現できる。
【図面の簡単な説明】
【００４８】
【図１】本発明の第１実施形態の構成を示す機能ブロック図。
【図２】本発明の第２実施形態の構成を示す機能ブロック図。
【符号の説明】
【００４９】
１０…ブログサーバ
１１…ブログ管理部
１２…クライアント部
６１…設定データ
６２…設定受付部
８１…過去ログデータ
８２…掲載許可部
２０…ルックアップサーバ
２１…転送受付部
２２…検出部
２３…対処部
２６…パターンデータ
３０…加入者判定サーバ
【図１】
2007115173.tif 000003
【図２】
2007115173.tif 000004